(57)【要約】【課題】液晶パネルと導電性シートとの安定した電気的接触を行える液晶表示装置及びこれを備えた電子機器を提供すること。【解決手段】液晶パネル２の側面に取り付けられると共にその側面より延出する端部が筐体５２に固定される取付具２０ａ、２０ｂに、液晶表示パネル２の裏面側に張り出す張出部２１を設け、筐体５２の内面に敷設され筐体５２と液晶パネル２との間に介在される導電性シート３に、片持ち支持された板バネ部７ａ〜７ｄを形成し、この板バネ部７ａ〜７ｄを取付具２０ａ、２０ｂの張出部２１に弾接させた。【選択図】        図３
2004361615.tif 000002
【特許請求の範囲】
【請求項１】
液晶パネルと、
前記液晶パネルを収容する筐体と、
前記筐体の内面に敷設され、前記筐体と前記液晶パネルとの間に介在される導電性シートと、
前記液晶パネルの側面に取り付けられると共に、前記側面より延出する端部が前記筐体に固定される取付具とを備え、
前記取付具に、前記液晶表示パネルの裏面側に張り出す張出部を設け、
前記導電性シートに、片持ち支持された板バネ部を形成し、前記板バネ部を前記取付具の前記張出部に弾接させた
ことを特徴とする液晶表示装置。
【請求項２】
前記板バネ部を、互いに分割されてそれぞれ独立して弾性変形可能な複数の小片から構成した
ことを特徴とする請求項１に記載の液晶表示装置。
【請求項３】
前記板バネ部の先端部を前記筐体の前記内面側に折り曲げた
ことを特徴とする請求項１に記載の液晶表示装置。
【請求項４】
前記液晶パネルの光源を駆動させるインバータ回路基板を、熱伝導部材を介在させて前記導電性シート上に配置した
ことを特徴とする請求項１に記載の液晶表示装置。
【請求項５】
前記液晶パネルにおいて光源が内蔵された箇所を、熱伝導部材を介在させて前記導電性シート上に配置した
ことを特徴とする請求項１に記載の液晶表示装置。
【請求項６】
本体に対して回動自在に液晶表示装置が取り付けられた電子機器であって、
前記液晶表示装置は、
液晶パネルと、
前記液晶パネルを収容する筐体と、
前記筐体の内面に敷設され、前記筐体と前記液晶パネルとの間に介在される導電性シートと、
前記液晶パネルの側面に取り付けられると共に、前記側面より延出する端部が前記筐体に固定される取付具とを備え、
前記取付具に、前記液晶表示パネルの裏面側に張り出す張出部を設け、
前記導電性シートに、片持ち支持された板バネ部を形成し、前記板バネ部を前記取付具の前記張出部に弾接させた
ことを特徴とする電子機器。
【請求項７】
前記板バネ部を、互いに分割されてそれぞれ独立して弾性変形可能な複数の小片から構成した
ことを特徴とする請求項６に記載の電子機器。
【請求項８】
前記板バネ部の先端部を前記筐体の前記内面側に折り曲げた
ことを特徴とする請求項６に記載の電子機器。
【請求項９】
前記液晶パネルの光源を駆動させるインバータ回路基板を、熱伝導部材を介在させて前記導電性シート上に配置した
ことを特徴とする請求項６に記載の電子機器。
【請求項１０】
前記液晶パネルにおいて光源が内蔵された箇所を、熱伝導部材を介在させて前記導電性シート上に配置した
ことを特徴とする請求項６に記載の電子機器。
【発明の詳細な説明】
【０００１】
【発明の属する技術分野】
本発明は、液晶パネルとこれを収容する筐体との間に導電性シートが介在された液晶表示装置及びこれを備えた電子機器に関し、更に詳しくは、液晶パネルと導電性シートとの安定した接触を確保して安定したシールド効果が得られるようにした液晶表示装置及び電子機器に関する。
【０００２】
【従来の技術】
近年、液晶表示装置の筐体材料としては、軽量で且つ複雑な形状への成形容易さに優れた樹脂材料が用いられるようになってきている。導電性を有しない樹脂材料では筐体自体をシールド体として機能させることができないので、別途シールド機構を設けることが従来より行われている。
【０００３】
例えば、筐体表面に導電塗装を施したり、筐体と液晶パネルとの間にアルミシートなどの導電性シートを介在させることが行われている。あるいは、特許文献１には、表面にＤＬＣ（Ｄｉａｍｏｎｄ  Ｌｉｋｅ  Ｃａｒｂｏｎ）膜を形成したシールド性に優れた電子機器の筐体が開示されている。
【０００４】
【特許文献１】
特開平１１−３４６０８１号公報
【０００５】
【発明が解決しようとする課題】
導電塗装、あるいはＤＬＣ膜をコーティングする方法では、液晶パネルをねじ止めするなどのために筐体内面に突設されているボスなどの突起物の根元に、塗装あるいはＤＬＣ膜がまわりにくくシールド性にばらつきが生じやすい。また、導電塗装は塗装治具、塗料代が割高でありコストがかかる問題もある。ＤＬＣ膜のコーティングについても同様にコストがかかる。
【０００６】
また、導電性シートの場合には、液晶パネル側と電気的に接触させるため、液晶パネルをねじ止めするボスに対して液晶パネルと共に導電性シートの一部分を共締めさせている。しかし、この構造ではねじの締め付け具合で接触状態が変わり安定したシールド性が得られないという問題がある。
【０００７】
本発明は上述の問題に鑑みてなされ、その目的とするところは、液晶パネルと導電性シートとの安定した電気的接触を行える液晶表示装置及びこれを備えた電子機器を提供することにある。
【０００８】
【課題を解決するための手段】
以上の課題を解決するにあたり、本発明の液晶表示装置は、液晶パネルの側面に取り付けられると共にその側面より延出する端部が筐体に固定される取付具に、液晶表示パネルの裏面側に張り出す張出部を設け、筐体の内面に敷設され筐体と液晶パネルとの間に介在される導電性シートに、片持ち支持された板バネ部を形成し、この板バネ部を取付具の張出部に弾接させたことを特徴としている。
【０００９】
また、以上の課題を解決するにあたり、本発明の電子機器は、液晶パネルの側面に取り付けられると共にその側面より延出する端部が筐体に固定される取付具に、液晶表示パネルの裏面側に張り出す張出部を設け、筐体の内面に敷設され筐体と液晶パネルとの間に介在される導電性シートに、片持ち支持された板バネ部を形成し、この板バネ部を取付具の張出部に弾接させた構成の液晶表示装置を本体に対して回動自在に取り付けたことを特徴としている。
【００１０】
導電性シートにおいて、取付具の張出部が接触する部分を板バネ部としたのでその板バネ部を弾性変形させるように取付具の張出部を接触させると張出部に板バネ部の復元力を作用させることができる。これにより、張出部と板バネ部との安定した接触が確保され、液晶パネルから発生するあるいは液晶パネルが拾ってしまうノイズを、取付具、張出部、および板バネ部を介して導電性シートに逃がすことができる。
【００１１】
導電性シートは筐体に対して例えばかしめ溶着で固定され、取付具は液晶パネルの側面から延出する端部が筐体に対して例えばねじ止めされるので、張出部と板バネ部との間で位置ずれを起こすことなく両者の安定した弾接状態を維持できる。
【００１２】
導電性シートの材料としては、例えばアルミニウム、銅、これらの合金、ステンレス、その他金属や合金を挙げることができる。あるいは、導電性を有しないシートの表面に、金属、合金、炭素系材料などの導電性を有する材料を、めっき法、スパッタリング法、蒸着法などで被覆したものでもよい。
【００１３】
また、板バネ部を、互いに分割されてそれぞれ独立して弾性変形可能な複数の小片から構成すれば、張出部が板バネ部の一部にしか接触しない場合であっても、張出部に対して板バネ部の小片の何れかを確実に弾接させて安定した接触を確保できる。
【００１４】
また、板バネ部の先端部を筐体の内面側に折り曲げた構成とすれば、板バネ部の先端部が筐体の内面に当接することで板バネ部の必要以上の弾性変形（倒れ込み）を防いで、張出部との接触不良を回避できる。
【００１５】
また、導電性シートをヒートシンクとして機能させることも可能である。すなわち、液晶パネルの光源を駆動させるインバータ回路基板を、熱伝導部材を介在させて前記導電性シート上に配置したり、液晶パネルにおいて光源が内蔵された箇所を、熱伝導部材を介在させて導電性シート上に配置すれば、インバータ回路基板あるいは光源内蔵箇所から発生する熱を熱伝導部材を介して導電性シートに逃がすことができる。
【００１６】
熱伝導部材はそれ自体が熱伝導率の高いものであることはもちろん、熱伝導の妨げになる、インバータ回路基板あるいは液晶パネルと導電性シートとの間の空気を排除させる機能を備える。例えば、弾性を有し両者に密着できるシート状のものが挙げられる。また、弾性を有するものであれば、外部の衝撃からインバータ回路基板あるいは液晶パネルを保護する緩衝作用が得られる。例えば、アクリルゴム、シリコンゴムなどが挙げられる。
【００１７】
【発明の実施の形態】
以下、本発明の一例としての実施の形態について図面を参照して説明する。
【００１８】
［第１の実施の形態］
図１は本実施の形態に係る導電性シート３を敷設した筐体５２の平面図を示す。筐体５２は樹脂材料からなり、扁平箱状を呈している。筐体５２の内面には機械的強度補強のための複数のリブ９が形成されその上に導電性シート３が敷設されている。以下、導電性シート３について説明する。
【００１９】
（導電性シートの構成）
導電性シート３は例えばアルミニウム材料からなり、導電性シート３の大部分を占める主板部４に対して、複数（例えば４つ）の板バネ部７ａ〜７ｄと、インバータ回路基板配置部１５が一体的に接続されている。
【００２０】
各板バネ部７ａ〜７ｄは主板部４の四隅に形成され、そのうち板バネ部７ａ、７ｂは図において向かって左側の筐体５２の内壁面に対向し、板バネ部７ｃ、７ｄは図において向かって右側の筐体５２の内壁面に対向している。
【００２１】
次に、板バネ部７ａの詳細について図４を参照して説明するが、他の板バネ部７ｂ〜７ｄについても板バネ部７ａと同様に構成されるのでその詳細な説明は省略する。
【００２２】
板バネ部７ａは、筐体５２の側部内壁面に向かって突き出た例えば４つの小片８を有し、各小片８の根元部は主板部４から立ち上げられた接続部１３を介して主板部４の縁部に接続されて主板部４に対して片持ち支持されている。各小片８は自然状態では、筐体５２の内面から浮いたほぼ水平な姿勢となっている。
【００２３】
各小片８はその根元部以外は互いに分離されており、個々に独立して弾性変形可能となっている。具体的には、各小片８の先端部側に、後述する取付具の張出部が接触して上に乗ると、主板部４に接続された根元部を支点に、下方（筐体５２の内面側）に個々に独立して倒れ込み可能であり、且つそのときに元の水平姿勢へと戻ろうとする弾性復元力が作用する。また、各小片８の先端部は下方の筐体５２内面に向けて折り曲げられている。
【００２４】
各板バネ部７ａ〜７ｄについて、小片８の個数を４個、各小片８の形状を矩形状としたが、各小片８が個々に独立して弾性変形可能であればよく、これらに限られることはない。また、各小片８が波打つように凹凸を設けて凸の部分で後述する取付具の張出部に弾接させるようにしてもよい。更に、各小片８を分割するスリットの延在方向も横方向（小片８の先端部が筐体５２の側部内壁面に向き合う方向）としたが、縦方向に沿って形成して各小片８が各板バネ部７ａ〜７ｄの上縁部側あるいは下縁部側で支持されて縦方向に沿って延在するようにしてもよい。
【００２５】
再び、図１を参照して、主板部４の下縁部ほぼ中央には、接続部１６を介して矩形状のインバータ回路基板配置部１５が接続されている。接続部１６は主板部４から下方の筐体５２内面側に傾斜しており、インバータ回路基板配置部１５はほぼ水平である。よって、インバータ回路基板配置部１５は、主板部４よりも筐体５２内面側に下がった位置にある。
【００２６】
また、導電性シート３には、筐体５２内面との対向面側をくぼませて表面側に突出させた複数の絞り加工部１０が形成され強度を向上させている。これにより、導電性シート３を薄くでき液晶表示装置全体の軽量化が図れる。
【００２７】
また、主板部４において、板バネ部７ａ、７ｂ寄りの部分には、無線通信のためのアンテナ線の筐体内における引き回し用の凹溝１２が縦方向に延在して形成されている。
【００２８】
以上のように構成される導電性シート３は、筐体５２に対してかしめ溶着にて固定される。具体的には、筐体５２の内面には複数箇所にかしめピン１１が突設されており、図４に示すようにそのかしめピン１１に導電性シート３に形成された貫通孔を通したうえでその貫通孔より突き出るかしめピン１１の先端部を溶着させてかしめる。
【００２９】
これにより、導電性シート３は筐体５２の機械的強度を補う補強板として機能する。この結果、筐体５２の薄肉化が図れ液晶表示装置の薄型化が図れる。また、かしめ溶着はねじ止めに比べ、筐体５２内面と導電性シート３との間隙を小さくできるので、このことも液晶表示装置の薄型化に寄与する。
【００３０】
また、部品輸送に際して、導電性シート３を単体で扱うのではなく、筐体５２内面に取り付けた状態で筐体５２と共に扱うようにすれば、導電性シート３が薄いものであっても輸送時の変形を防止できる。
【００３１】
図２に示すように、トランス２６などの部品を実装し、液晶パネルの光源を駆動させるためのインバータ回路基板２５は、インバータ回路基板配置部１５に配置された粘着部材２７ａ及びインバータ回路基板配置部１５の側方に配置された粘着部材２７ｂに接着固定される。
【００３２】
インバータ回路基板２５は、後述する取付具を介して筐体５２内に収容される液晶パネルに内蔵された例えば陰極蛍光ランプなどの光源の電極と、配線ケーブル及びコネクタを介して接続される。
【００３３】
図３において１点鎖線で示される液晶パネル２の左右の側面には、それぞれ取付具２０ａ、２０ｂが取り付けられ、これら取付具２０ａ、２０ｂと共に液晶パネル２は筐体５２に収容される。取付具２０ａ、２０ｂは例えばステンレス材料からなり、筐体５２内で液晶パネル２を支える強度と、ノイズを導電性シート３に逃がすための導通路となるべく導電性を有している。ステンレス以外にも、例えばＡｌ−Ｍｇ合金などを用いてもよい。
【００３４】
図６に示すように、取付具２０ｂにおいて液晶パネル２の側面と対向する側板部３５には例えば４つのねじ孔３４が形成され、これらねじ孔３４にねじが通されて液晶パネル２の側面に締結されることで、取付具２０ｂは液晶パネル２の側面に固定される。他方の取付具２０ａについても同様である。
【００３５】
また、各取付具２０ａ、２０ｂには側板部３５から屈曲した略矩形状の張出部２１が一体的に形成されており、それら張出部２１が液晶パネル２の裏面（表示面の反対面）側に張り出して重なるようにして取付具２０ａ、２０ｂは液晶パネル２の側面に取り付けられる。張出部２１は、各取付具２０ａ、２０ｂについて例えば２つずつ形成され、これら２つの張出部２１間の間隔は、上述した板バネ部７ａ、７ｂ間の間隔、あるいは板バネ部７ｃ、７ｄ間の間隔とほぼ同じにされている。
【００３６】
各取付具２０ａ、２０ｂにおいて、液晶パネル２の側面より延出する上端部には筐体５２の内面に設けられたねじ孔１９に合わせられる貫通孔が形成されておりこの貫通孔を通してねじ孔１９にねじが締結されることでねじ止めされる。同じく、液晶パネル２の側面より延出する下端部には筐体５２の内面に設けられたねじ孔１８に合わせられる貫通孔が形成されておりこの貫通孔を通してねじ孔１８にねじが締結されることでねじ止めされる。
【００３７】
以上のようにして、液晶パネル２は、取付具２０ａ、２０ｂによって筐体５２に固定され、且つ筐体５２との間に導電性シート３を介在させて筐体５２に収容される。また、各取付具２０ａ、２０ｂの各張出部２１の下面は、導電性シート３の各板バネ部７ａ〜７ｄの先端部側の上面に接触される。導電性シート３、取付具２０ａ、２０ｂの張出部２１、およびインバータ回路基板２５はすべて液晶パネル２の裏側に位置され、液晶パネル２はその表示面を表に向けた状態で収容される。
【００３８】
（導電性シートによるシールド作用）
図５に示すように、各小片８の先端部側に、液晶パネル２（図５では図示せず）を支持する取付具２０ａの張出部２１が接触して上に乗ると、各小片８は主板部４に接続された根元部を支点に、下方側（筐体５２の内面側）に倒れ込み、このとき元の水平姿勢へと戻ろうとする弾性復元力が張出部２１に対して作用して小片８は張出部２１に弾接する。
【００３９】
これによって、張出部２１と板バネ部７ａ〜７ｄとの安定した接触が確保され、液晶パネル２で生じるあるいは液晶パネル２が外部から拾ってしまうノイズを取付具２０ａ、２０ｂを介して導電性シート３に確実に逃がすことができる。
【００４０】
また、組み付けるうえでは、単に張出部２１と板バネ部７ａ〜７ｄとを接触させるだけであり、導電塗装や、ねじ止めにて液晶パネルと接続させる従来例に比べて作業性にも優れている。
【００４１】
また、位置ずれなどにより張出部２１が板バネ部７ａ〜７ｄの一部分にしか接触しないような状況であっても、板バネ部７ａ〜７ｄの小片８はその根元部以外は互いに分離されて個々に独立して弾性変形可能となっているので、張出部２１に対しては複数の小片８の何れかを確実に弾接させることができ安定した張出部２１と導電性シート３との接触を確保できる。
【００４２】
また、板バネ部７ａ〜７ｄ（各小片８）の先端部を筐体５２の内面側に折り曲げているので、その先端部が筐体５２の内面に当接することで板バネ部７ａ〜７ｄ（各小片８）の必要以上の弾性変形（倒れ込み）を防いで、張出部２１との接触不良を回避できる。
【００４３】
なお、以上のことは、図５に示した以外の他の３箇所の張出部２１についても言える。
【００４４】
［第２の実施の形態］
次に、図７、８を参照して、本発明の第２の実施の形態について説明する。なお、上記第１の実施の形態と同じ構成部分には同一の符号を付し、その詳細な説明は省略する。
【００４５】
本実施の形態では、図７に示すように、導電性シート３におけるインバータ回路基板配置部１５上に、例えばシリコンゴムからなる熱伝導部材２８が配置される。この熱伝導部材２８の厚さは、その左右両脇に配置された粘着部材２７ａ、２７ｂよりわずかに厚くされる。これによって、図８に示すように、インバータ回路基板２５を熱伝導部材２８に対して密着力を高めた状態で両粘着部材２７ａ、２７ｂに接着固定させることができる。なお、インバータ回路基板２５に実装された部品の中でも特に発熱量の大きいトランス２６が熱伝導部材２８上に位置するようにする。
【００４６】
（熱伝導部材の作用）
インバータ回路基板２５、特にトランス２６から発生する熱を熱伝導部材２８を介して、放熱性の優れた例えばアルミニウムからなる導電性シート３に逃がすことができる。インバータ回路基板２５は熱伝導部材２８に密着しているので、インバータ回路基板２５から導電性シート３への熱伝達経路中に空気を介在させることなく、インバータ回路基板２５からの熱を効率よく導電性シート３に拡散させることができる。この結果、インバータ回路基板２５における各部品の故障や誤動作を防ぐことができる。
【００４７】
［第３の実施の形態］
次に、図９、１０を参照して、本発明の第３の実施の形態について説明する。なお、上記第１、第２の実施の形態と同じ構成部分には同一の符号を付し、その詳細な説明は省略する。
【００４８】
本実施の形態の導電性シート３０は、図９に示すように、インバータ回路基板配置部１５を挟む左右の下縁部に光源電極配置部３１ａ、３１ｂが形成されている点で、上記各実施の形態における導電性シート３と異なる。光源電極配置部３１ａ、３１ｂは主板部４に一体的に形成されている。
【００４９】
図１０に示すように、光源電極配置部３１ａ、３１ｂには、液晶パネル２の下端部に内蔵された例えば陰極蛍光ランプなどの光源の左右両端部の電極近傍部分が位置される。やはり、この場合にも上記熱伝導部材２８と同様な熱伝導部材３２が光源電極配置部３１ａ、３１ｂに配置され、その熱伝導部材３２に液晶パネル２の光源の電極近傍部分の裏面が密着される。
【００５０】
液晶表示装置において、光源の発光には発熱を伴い、特に両端の電極での発熱量が大きくなる。本実施の形態では、その光源の電極から発生する熱を熱伝導部材３２を介して、放熱性の優れた例えばアルミニウムからなる導電性シート３０に逃がすことができる。この結果、光源からの発熱に起因する各部品の故障や誤動作、更には液晶パネル２の表示ムラなどを防ぐことができる。
【００５１】
［電子機器の構成］
以上の各実施の形態の液晶表示装置はヒンジを介して本体に取り付けられ、本発明の実施の形態に係る電子機器を構成する。図１１に、その電子機器の一例としてノート型コンピュータを示す。
【００５２】
電子機器５０は、上述した構成を有する液晶表示装置１がヒンジ１４を介して本体５１に対して回動自在に取り付けられて構成される。図１１の状態は、液晶表示装置１が本体５１に対して開かれ、液晶パネル２の表示面が視認可能となっている状態である。
【００５３】
本体５１は、上面にキーボード５３、タッチパッド５４、ジョグダイアル５５、電源ボタン５６、クリックボタン５７ａ、５７ｂなどを有し、内部にＣＰＵを搭載したマザーボードやハードディスク等の記憶装置を備える。
【００５４】
液晶表示装置１は、液晶パネル２の表示面を内側に向けた（本体５１上面側に向けた）状態で取り付けられる。液晶表示装置１はこれを収容した筐体５２ごと本体５１に対して回動自在となっている。
【００５５】
なお、電子機器としてはノート型コンピュータに限らず、ＰＤＡ（Ｐｅｒｓｏｎａｌ  Ｄｉｇｉｔａｌ  Ａｓｓｉｓｔａｎｔｓ）、携帯電話機、ビデオカメラ、デジタルスチルカメラ、その他液晶表示装置付きの電子機器であってもよい。
【００５６】
以上、本発明の各実施の形態について説明したが、勿論、本発明はこれらに限定されることなく、本発明の技術的思想に基づいて種々の変形が可能である。
【００５７】
板バネ部７ａ〜７ｂ及びこれに弾接する張出部２１の個数や設置位置は上記実施の形態に示したものに限らず、例えば、板バネ部７ａと板バネ部７ｂの間、あるいは板バネ部７ｃと板バネ部７ｄとの間にも板バネ部及びこれに弾接する張出部を設けてもよい。
【００５８】
導電性シート３において、主板部４、板バネ部７ａ〜７ｄ、インバータ回路基板配置部１５、光源電極配置部３１ａ、３１ｂの各部分を、それぞれに求められる機能に応じて材料を異ならせてもよい。例えば、板バネ部７ａ〜７ｄは弾性力を高めるためステンレスから構成したり、主板部４、インバータ回路基板配置部１５、光源電極配置部３１ａ、３１ｂは放熱性を高めるためアルミニウムや銅から構成するなどである。
【００５９】
【発明の効果】
以上述べたように、本発明によれば、導電性シートにおいて、液晶パネルの側面に取り付けられた取付具の張出部が接触する部分を板バネ部としたのでその板バネ部を弾性変形させるように張出部を接触させると張出部に板バネ部の復元力を作用させることができ、張出部と板バネ部との安定した接触が確保され、液晶パネルで生じるあるいは液晶パネルが拾ってしまうノイズを取付具を介して導電性シートに効率よく逃がすことができる。
【図面の簡単な説明】
【図１】本発明の第１の実施の形態に係る導電性シートが筐体内面に敷設された平面図である。
【図２】図１に示す筐体に取付具が固定されると共にインバータ回路基板が収容された平面図である。
【図３】図２に示す筐体内に液晶パネル（１点鎖線で示す）を収容した平面図である。
【図４】導電性シートにおいて板バネ部近傍の拡大斜視図である。
【図５】図４に示す板バネ部に取付具の張出部が弾接した状態を示す拡大斜視図である。
【図６】液晶パネル側面への取付具の取付形態を示す斜視図である。
【図７】本発明の第２の実施の形態に係る熱伝導部材が導電性シートにおけるインバータ回路基板配置部に配設された状態の平面図である。
【図８】図７に示す熱伝導部材にインバータ回路基板を密着させた状態の平面図である。
【図９】本発明の第３の実施の形態に係る導電性シートが筐体内面に敷設された平面図である。
【図１０】図９に示す筐体内に、取付具、熱伝導部材、インバータ回路基板、および液晶パネルが収容された状態の平面図である。
【図１１】本発明の実施の形態に係る電子機器の斜視図である。
【符号の説明】
１…液晶表示装置、２…液晶パネル、３…導電性シート、７ａ〜７ｄ…板バネ部、８…小片、１５…インバータ回路基板配置部、２０ａ，２０ｂ…取付具、２１〜２４…張出部、２５…インバータ回路基板、２６…トランス、２７…粘着部材、２８…熱伝導部材、３０…導電性シート、３１ａ，３１ｂ…光源電極配置部、３２…熱伝導部材、５０…電子機器、５１…本体、５２…筐体。
【図１】
2004361615.tif 000003
【図２】
2004361615.tif 000004
【図３】
2004361615.tif 000005
【図４】
2004361615.tif 000006
【図５】
2004361615.tif 000007
【図６】
2004361615.tif 000008
【図７】
2004361615.tif 000009
【図８】
2004361615.tif 000010
【図９】
2004361615.tif 000011
【図１０】
2004361615.tif 000012
【図１１】
2004361615.tif 000013